(57)【要約】【課題】福祉用具や折りたたみ自転車、鍵盤楽器等の収納物を清潔かつ安全に、良好な取り扱い性及び運搬性をもって運搬ないし保管できるほか、耐汚染性、耐透湿性及び緩衝性にも優れ、更には、強度的にも福祉用具等のレンタルサービス等における長期ないし多回数の繰り返し使用にも耐えることができる運搬用袋を提供すること。【解決手段】内面材３と外面材８からなる積層体２を構成材料とし、２つ折りして収納部１１を形成する運搬用袋１であって、前記内面材３がアルミニウム層と発泡シート層を含み、アルミニウム層を発泡シート層より収納部１１側に配置せしめることを特徴とする運搬用袋１。【選択図】  図２
2004238073.tif 000002
【特許請求の範囲】
【請求項１】
内面材と外面材からなる積層体を構成材料とし、２つ折りして収納部を形成する運搬用袋であって、前記内面材がアルミニウム層と発泡シート層を含み、アルミニウム層を発泡シート層より収納部側に配置せしめることを特徴とする運搬用袋。
【請求項２】
請求項１に記載の運搬用袋において、前記内面材のアルミニウム層と発泡シート層の間にクロスシートを設けたことを特徴とする運搬用袋。
【請求項３】
請求項１または請求項２に記載の運搬用袋において、発泡シート層がポリエチレン発泡シートからなる運搬用袋。
【請求項４】
請求項１ないし請求項３の何れかに記載の運搬用袋において、外面材がターポリンシートからなる運搬用袋。
【請求項５】
請求項１ないし請求項４の何れかに記載の運搬用袋において、ファスナーにより開閉可能となる運搬用袋。
【請求項６】
請求項１ないし請求項５の何れかに記載の運搬用袋において、肩掛け用ベルト及び／または手持ち用ベルトを設けたことを特徴とする運搬用袋。
【請求項７】
請求項１ないし請求項６の何れかに記載の運搬用袋において、福祉用具の運搬に使用される運搬用袋。
【発明の詳細な説明】
【０００１】
【発明の属する技術分野】
本発明は、運搬用袋に関する。更に詳細には、介護用ベッド等の福祉用具等のほか、折りたたみ自転車、鍵盤楽器（キーボード）等の運搬、収納及び保存等に適した運搬用袋に関する。
【０００２】
【背景技術】
従来では、介護ベッドや車椅子等の福祉用具は高額のため購入が困難であったが、近年では当該福祉用具のレンタル業者が普及したことに加え、２０００年４月より、当該福祉用具のレンタルが本人の１割費用負担で利用可能となる介護保険制度が導入されたため、利用者個人が福祉サービスを自由に選択できる環境となった。従って、今後は、福祉用具等のレンタルによる使用が今まで以上に行われていくことが予想される。
【０００３】
一般に、介護用ベッド等の福祉用具は、その大きさ等もあり、複数の部材に分割された状態で運搬ないし保管され、現場で組み立てられるという態様をとっている。また、かかる福祉用具のレンタルによる使用及び返却は、通常は、福祉用具を貸し出し（レンタルし）、利用者側で所定の日数を使用された後、当該福祉用具を業者が引き取り、当該用具に殺菌・消毒処理を施して清潔な状態にして保管し、その後、再び貸し出すという一連の流れを繰り返すことになる。従って、福祉用具のレンタルサービスにおける一連の流れにあっては、収納物である福祉用具を収納、運搬及び保管するという作業が必須となっている。
【０００４】
従来の福祉用具のレンタルサービスにおける福祉用具の運搬や保管には、一般には、メーカー納品時のダンボール箱がそのまま用いられていたが、紙製のダンボール箱は、長期使用に対する考慮が特になされていないことから、福祉用具を出し入れしていると破損してしまい、何度にも渡って使うことができなかった。また、レンタル対象物である福祉用具は、安全性や清潔さを必要とされるため、当該用具を梱包するダンボール箱も同様な状態を求められるところ、ダンボール箱は耐薬品性に劣るために液体等による洗浄や薬品を用いた殺菌・消毒ができず、その結果、安全性、清潔さを保つことが難しかった。更には、ダンボール箱の場合は、収納物を出し入れする際にガムテープ等で収納物を固定したりする等の面倒な作業が必要であり、取り扱い性や運搬性等が悪いという問題もあった。
【０００５】
一方、ＣＤやビデオなどのレンタルサービスや、クリーニング店等の衣類の引き取り、回収ないし保管には、いわゆる「通い袋」と呼ばれる合成樹脂等の材料からなる専用の袋が使用されていた（例えば、特許文献１）。そして、前記したダンボール箱を用いた梱包以外の手段としては、例えば、収納物をまずフェルト等の材料で梱包したあと、当該材料をさらにナイロン等の材料で包装した２枚構成の包装形態とした梱包体等が提案されていた。
【０００６】
【特許文献１】
特開平５−１７０２６７号公報（第１−２頁）
【０００７】
【発明が解決しようとする課題】
しかしながら、かかる２枚の材料が分離した構成からなる包装形態は、梱包に手間や時間がかかり面倒であるほか、ダンボール箱と同様に耐薬品性、耐水性及び耐透湿性等の諸特性に劣るため、洗浄、殺菌及び消毒等を行うことが困難な場合が多く、かつ、使用する環境も限定されてしまうという問題や、介護べッドは、駆動モーター等を有しており、特に湿気が錆の発生やモーターの作動不良を招いてしまうという問題も発生していた。更には、強度の面から見ても、比較的大重量の介護ベッド等の福祉用具を収納した場合にあっては、包装材料が破れて収納物が外に飛び出てしまったり、外部からの衝撃により収納物に損傷を与えてしまうという問題も生じていた。また、汚れがこびり付いた場合にあっては、その拭き取りが困難な場合もあった。
【０００８】
従って、本発明の目的は、福祉用具等の収納物を清潔かつ安全に運搬ないし保管できるとともに、緩衝性にも優れ、取り扱い性、運搬性もよく、更に強度的にも向上されたものであり、福祉用具等のレンタルサービス等における長期ないし多回数の繰り返し使用にも耐え、かつ保管時の湿気防止効果に優れた運搬用袋を提供することにある。
【０００９】
【課題が解決するための手段】
本発明者は、上記目的を達するために、福祉用具等を運搬する運搬用袋の材料及びその構成について鋭意検討を重ねた結果、当該袋を構成する材料について、内面材と外面材を積層した構造とし、かつ、前記内面材として特定の材料を用いることにより、前記した課題を解決でき、介護用ベッド等の福祉用具等の収納、運搬および保存等に好適な運搬用袋を提供可能となることを見出した。本発明はかかる知見に基づいて完成されたものである。
【００１０】
すなわち、本発明の運搬用袋は、内面材と外面材からなる積層体を構成材料とし、２つ折りして収納部を形成する運搬用袋であって、前記内面材がアルミニウム層と発泡シート層を含み、アルミニウム層を発泡シート層より収納部側に配置せしめることを特徴とするものである。
【００１１】
本発明の運搬用袋は、構成材料として、内面材と外面材からなる積層体を基本構成とするものであるが、このうち、内面材の材料としては、アルミニウム層及び発泡シート層を含み、アルミニウム層を発泡シート層より収納部側に配置せしめることを必要とする。
【００１２】
内面材を構成するアルミニウム層は、あらかじめ調製されたアルミニウムフィルムを用いてもよく、また、アルミニウムを他層に蒸着させてアルミニウム蒸着層としてもよい。アルミニウム蒸着層は、被蒸着体の表面に対して、アルミニウムを高真空状態で電子ビームや高周波誘導などによって加熱蒸発させ、その蒸気を付着させたものである。アルミニウム層は、美しい金属光沢を有するほか、酸素遮断性、熱遮蔽性、耐透湿性、耐水性、耐薬品性などの性能に優れるものであるため、構成材料として当該アルミニウム層を含むことにより、本発明の運搬用袋に対して、当該諸性能を付与することができる。
【００１３】
当該アルミニウム層の厚さは、特に制限はないが、一般に３〜１２μｍ程度であればよく、５〜１０μｍ程度とすることが好ましい。
【００１４】
また、内面材を構成する発泡シート層としては、特に制限はなく、通常発泡シートに用いられるプラスチック材料、例えば，ポリエチレン、ポリスチレン、ポリウレタン、ポリプロピレン及びその共重合体等のプラスチック材料を用いた発泡シートで層形成すればよい。当該発泡シートは、発泡押出成形等の従来公知の発泡シート成形方法によって製造すればよく、また、当該発泡シートは、単層構造のものであっても、２層以上の積層構造のものであってもよい。更に、発泡シートの表面には、いわゆるスキン層が形成されていてもよい。発泡シートは優れた緩衝性を有することから、構成材料として発泡シートを用いることにより、本発明の運搬用袋に対して、前記した特性を付与することができる。
【００１５】
当該発泡シート層の厚さとしては、特に制限はないが、一般に、１〜４ｍｍ程度であればよく、１〜２ｍｍ程度であることが好ましい。
【００１６】
本発明の運搬用袋を構成する内面材は、前記したアルミニウム層と発泡シート層を含む構成であり、２つ折りされて収納部を形成する際に、アルミニウム層が発泡シート層より収納部側に配置せしめる必要がある。このようにしてアルミニウム層が収納部側に配置されることにより、収納部に汚れ等が付いた際にも簡単に拭き取りができる等、本発明の運搬用袋の耐汚染能を好適に発揮させることができる。また、この２つの層は、例えば、発泡シートの表面にアルミニウムフィルムを積層したり、当該発泡シートに対してアルミニウムを蒸着してもよいが、当該アルミニウム層とプラスチック発泡シートとの間に介在層を設ける構成とすることが好ましい。当該介在層としては、層状を形成できる材料であれば特に制限はないが、クロスシートを介在させることが好ましい。
【００１７】
このクロスシートは、一般に、ポリエチレン、ポリプロピレンまたはビニロン等の原料を押出、延伸等して得られた薄いテープ状の長い糸（フラットヤーンまたはテープヤーンと呼ばれる）を、平織り等により製織加工して布状にしたものである。クロスシートを構成するフラットヤーンは、延伸されることにより引張強度が高いため、クロスシートも突き刺し強度が高く、また、面方向の剛性も高くなる。従って、クロスシートを介在層とすれば、本発明の運搬用袋に対して当該諸特性を付与させることができるので好ましい。本発明の介在層においては、高密度ポリエチレン（ＨＤＰＥ）を押出、延伸処理したフラットヤーンを用いたＨＤＰＥクロスシートを用いることが好ましい。本発明を構成する介在層の繊度としては、一般に、８９０〜１１７０デシテックス（ｄｔ）であればよく、８９０〜１１１０ｄｔであることが好ましい。
【００１８】
上記した各材料を用いて、本発明を構成する内面材を調製するには、各材料同士をドライラミネートしたりする等、通常用いられる公知の貼り合わせ手段を用いて調製すればよい。また、最外層、特にアルミニウム層が最外層となる場合にあっては、その表面に保護層として、例えば、ポリエチレンテレフタレート（ＰＥＴ）等のポリエステル等の各種樹脂材料をラミネートまたはコーティングしてもよい。
【００１９】
本発明の運搬用袋を構成する内面材の全体の厚さとしては、特に制限はなく、収納物の重量や大きさ等により適宜決定すればよいが、一般に、１〜５ｍｍの範囲であることが好ましく、２〜３ｍｍの範囲であることが特に好ましい。内面材の厚さがこの範囲であれば、強度的にも優れた運搬用袋が得られるため好ましい。
【００２０】
次に、本発明の運搬用袋を構成する外面材としては、機械的強度、耐水性、耐炎性及び耐候性の点から、ターポリンシートを使用することが好ましい。ターポリンシートとは、繊維基布に対して合成樹脂をカレンダー加工等でコーティングしたり、または合成樹脂フィルムをラミネートしたシートのことである。本発明において、当該ターポリンシートを構成する繊維基布としては、ポリエステル、ナイロン、ポリスチレン等の繊維で構成される厚さ０．３〜１ｍｍ程度の織物等を使用することができ、また、合成樹脂としては、塩化ビニル樹脂、ポリオレフィン系樹脂等の材料を使用することができる。特に、繊維基布をポリエチレンテレフレラート（ＰＥＴ）等のポリエステル繊維で構成し、また、合成樹脂として塩化ビニル樹脂を用いて繊維基布上にコーティングした態様とすることが好ましい。
【００２１】
本発明を構成する外面材の厚さは、特に制限はなく、収納物の重量や大きさ等により適宜決定すればよいが、一般に、０．３〜１ｍｍの範囲であることが好ましい。外面材の厚さがこの範囲であれば、優れた強度を得ることができるほか、耐候性、耐水性及び耐炎性にも優れた材料を得ることができるので好ましい。
【００２２】
前記した内面材及び外面材を積層一体化させ、積層体を調製するには、従来公知の手段を用いることができ、例えば、両材料を従来公知の縫製手段により一体化してもよく、また、ドライラミネート等の貼り合わせ手段を用いて両者を一体化することにより積層体を調製すればよい。当該積層体の厚さとしては、特に制限はなく、一般に、収納物の重量や大きさ等により適宜決定すればよいが、一般に、３〜５ｍｍの範囲であることが好ましく、３〜４ｍｍの範囲であることが特に好ましい。
【００２３】
本発明の運搬用袋は、前記により調製された積層体を構成材料として、任意の形状にして運搬用袋とすればよい。また、収納物を入れる際には、２つ折りされ、前記した内面材の一面が収納部となり、かつ、アルミニウム層が発泡シート層より当該収納部側に配置され、更には、外面材が外部に現れることになる。この本発明の運搬用袋にあっては、前記した収納部がファスナーにより開閉できるようにすることが好ましい。当該ファスナーにより開閉可能とすることにより、福祉用具等の収納物の出し入れ収納作業を容易かつ迅速に行うことを可能にするほか、取り扱い性も向上させることができる。当該ファスナーは、運搬用袋の周縁部に設置され、運搬用袋を２つ折りにした状態で、開閉できるようにすることが好ましい。前記ファスナーの種類としては、例えば、通常用いられる公知の樹脂ファスナー、金属ファスナー、ビスロンファスナー等が挙げられ、これらを適宜使用すればよい。
【００２４】
また、本発明の運搬用袋は、表面に肩掛け用ベルト及び／または手持ち用ベルトが装着されることが好ましく、当該ベルトを装着することにより、運搬性や取り扱い性が向上する。当該肩掛け用ベルト及び手持ち用ベルトの材質としては、ポリプロピレン等の材料を使用することができ、これら材料で形成された任意の形状のベルトを適宜使用すればよい。
【００２５】
更には、本発明の運搬用袋は、外面体及び／または内面体に対して印刷や着色を施してもよく、これにより装飾性が高めることができる。また、レンタルサービス等に使用されることを考慮すれば、レンタル業者の広告や宣伝の印刷を施してもよい。
【００２６】
そして、外面体には、収納物の種類、形態、状態、警告内容等の情報を示す標識を任意の位置に設置してもよく、当該標識を設置することにより、運搬用袋の収納物の情報が容易に外部から認識可能となる。
【００２７】
かくして得られる本発明の運搬用袋は、内面材及び外面材の２材を積層一体化した積層体を用い、２つ折りされて収納部を形成する際に、アルミニウム層が発泡シート層より収納部側に配置せしめる構成をとるため、従来のダンボール梱包や、別個の内包材及び外包材を用いた２体型の運搬用袋と比較して、収納物の梱包を容易かつ簡便に実施可能となるため梱包時間の短縮化も図ることができ、運搬性、取り扱い性も良好なものである。また、構成材料が優れた耐薬品性を有することから、アルコール消毒のほか、オゾン・イオン燻蒸法等の殺菌手段を施すことが可能となり、その結果、清潔感があり、衛生性及び安全性にも優れたものとなる。更には、その耐水性、耐候性、耐汚染性により、様々な環境に使用することができるばかりか、汚れが付着した場合であっても布で拭き取る等により簡単に汚れを除去することができる。そして、収納物を運搬用袋に入れて保管する場合でも、耐透湿性に優れているため、湿気の混入、収納物の錆の発生及び電装部分の作動不良を防止することができる。
【００２８】
また、本発明の運搬用袋は、耐久性にも優れ、福祉用具等のレンタルサービス等における数十回以上の繰り返し使用にも十分に耐えうる強度を有するものであり、かつ、良好な緩衝性を有するため、運搬ないし保管における収納物を安全に保護することができる。
【００２９】
そして、本発明の運搬用袋は、収納部がファスナーにより開閉できるような構成としたり、前記収納部の外周に肩掛け用ベルトや手持ち用ベルトを装着することにより、その運搬性や取り扱い性を更に向上させることができる。
【００３０】
従って、本発明の運搬用袋は、介護用ベッド、車椅子等の福祉用具をはじめとして、折りたたみ自転車、鍵盤楽器（キーボード）等の収納、運搬および保存等に有利に使用することができる。
【００３１】
【発明の実施の形態】
以下、本発明の実施の形態を図面に基いて説明する。
【００３２】
図１は、本発明の運搬用袋を構成する積層体の断面図である。また、図２ないし図５は、本発明の運搬用袋の一態様を示した図であって、図２及び図３はファスナーを全開にした状態（図２は収納部、図３は表面部がそれぞれ表にでた状態を示す）、図４は半分に折り曲げた状態、図５はファスナーを完全に閉じて、運搬用袋に収納物を収納した状態をそれぞれ示す図である。
【００３３】
本発明の運搬用袋１は、図１に示すように、内面材３と外面材８の２層からなる積層体２で構成されている。本態様では、内面材３は、保護層５（ポリエチレンテレフタレート）／アルミニウム層４／介在層７（高密度ポリエチレンクロスシート）／ポリエチレン発泡シート層６の４層で構成されており、内面材３の全体の厚さを２．２〜３．０ｍｍ、各層の厚さを概算でそれぞれ１２μｍ／７μｍ／０．２ｍｍ／２ｍｍとしたものである。また、外面材８は、ポリエチレンテレフタレート（ＰＥＴ）繊維基布に塩化ビニル樹脂をコーティングした厚さ３５０μｍのターポリンシートを用いている。また、本態様では、内面材３の発泡シート層６と外面材８であるターポリンシートが向き合うようにして配設されており、縫製により積層一体化され、厚さ約３〜４ｍｍの積層体２を形成しているため、外面材３と内面材８との層間には若干の空隙部９が形成されている。
【００３４】
また、図２ないし図５に示すように、本態様の運搬用袋１では、前記積層体２を構成する外面材８が表側（表面部１０）に、また、内面材３が収納物４０を収納する面（収納部１１）となり、２つ折りすることにより収納物４０を収納することになる。そして、内面材３中のアルミニウム層４がポリエチレン発泡シート層６より収納部１１側に配置される。更に、前記積層体２の周縁には、開閉可能なファスナー２０が配設されており、外面材８の表面部１０には、肩掛け用ベルト３０及び手持ち用ベルト３１が設けられている。
【００３５】
上記構成の本発明の運搬用袋１に福祉用具等の収納物４０を収納するには、例えば、下記のような手段を用いればよい。すなわち、まず。図２に示すように、積層体２の周縁に配設されたファスナー２０を開けて運搬用袋１を全開状態にして広げ、分解した介護用ベッド等の収納物４０を載せる。次に、図４に示すようにして運搬用袋１を２つ折りにして、運搬用袋１の片面を収納物４０に被せた後、ファスナー２０を閉じることにより、運搬用袋１に収納物４０を収納できる。図５は、ファスナー２０を完全に閉じて収納物４０を本発明の運搬用袋１内に収納した状態を示したものである。
【００３６】
また、図６は、本発明の運搬用袋１に収納物４０を入れ、人が当該運搬用袋１を用いて運搬作業を行っている状態を示した図である。本態様によれば、本発明の運搬用袋１は、肩掛け用ベルト３０を肩に掛け、かつ、手持ち用ベルト３１を手に掴んだ状態で運搬作業を実施できるため、収納物４０の重量が比較的大きくても、容易に運搬することができ、かつ、取り扱い性も楽となる。更には、図６に示すように、運搬用袋１の表面部１０に収納物４０の種類を示す標識５０を任意の位置に設置しておけば、外部から収納物４０の情報を容易に認識することができる。
【００３７】
以上に示した本実施形態によれば、次のような効果が得られる。まず、本発明の運搬用袋１は、図１に示したように、内面材３及び外面材８の２材を積層一体化した積層体２を構成材料とするため、収納物４０の梱包を容易かつ簡便に行うことができ、運搬性、取り扱い性も良好なものである。
【００３８】
また、本態様によれば、内面材３をＰＥＴ５／アルミニウム層４／高密度ポリエチレンクロスシート７／ポリエチレン発泡シート層６の４層構造とし、かつ、２つ折りされて収納部１１を形成する際に、アルミニウム層４がポリエチレン発泡シート層６より収納部１１側に配置せしめ、外面材８をＰＥＴ繊維基布に塩化ビニル樹脂をコーティングしたターポリンシートを用いた積層体２としているため、耐久性にも優れ、福祉用具等のレンタルサービス等における数十回以上の繰り返し使用にも十分に耐えうるものである。また、優れた耐薬品性も有することから、アルコール消毒のほか、オゾン・イオン燻蒸法等の殺菌手段を施すことが可能となるため、清潔感があり衛生性及び安全性にも優れるものとなる。更には、その耐水性、耐候性、耐汚染性、耐透湿性より、様々な環境に使用することが可能であるほか、汚れが付着した場合であっても布で拭き取る等により簡単に汚れを除去することができ、また、金属製の駆動モーターを有する福祉用具は湿気が錆の発生と作動不良を招くところ、それらの防止も図ることができる。そして、本発明の運搬用袋は、良好な緩衝性を有するため、収納物を安全に保護することができる。
【００３９】
更には、本発明の運搬用袋１は、図２ないし図６に示したように、積層体２の周縁部１２に配設されたファスナー２０により開閉できるような構成にしたり、表面部１０に肩掛け用ベルト３０や手持ち用ベルト３１を装着することにより、その運搬性や取り扱い性を更に向上させることができる。
【００４０】
なお、以上説明した態様は、本発明の運搬用袋１の一態様を示したものであって、本発明は、前記した実施形態に限定されるものではなく、本発明の目的及び効果を達成できる範囲内での変形や改良が、本発明の内容に含まれるものであることはいうまでもない。また、本発明を実施する際における具体的な構造及び形状等は、本発明の目的及び効果を達成できる範囲内において、他の構造や形状等としてもよい。
【００４１】
例えば、前記の態様では、内面材３をＰＥＴ５／アルミニウム層４／高密度ポリエチレンクロスシート７／ポリエチレン発泡シート層６の４層構造とし、また、外面材８をＰＥＴ繊維基布に塩化ビニル樹脂をコーティングしたターポリンシートを用い、それぞれを所定の厚さとした構成を示したが、これらには限定されず、内面材３としてアルミニウム層４及び発泡シート層６を含み、２つ折りされて収納部１１を形成する際に、アルミニウム層４が発泡シート層６より収納部１１側に配置されるものであれば、その構成は任意のものであって構わない。なお、両材料は縫製により積層一体化されたが、これには限定されず、ドライラミネートによる貼り合わせとしてもよく、また、図７に示す態様のように、両材料を略密着状態にしても問題はない。更には、両材料の周縁部のみを貼り合わせてもよい。
【００４２】
また、収納物４０として分解した介護用ベッドを用いた例を示したが、これには限定されず、他の任意の物体を収納した場合であっても同様な効果が得られる。更に、図６の標識５０には、「介護用ベッド」を示したが、標識５０に記載する内容はこれに限定されず、例えば、他の収納物４０を用いた場合にあっては当該収納物４０の種類を記載してもよく、また、「××日間使用」等、収納物４０に関する情報を記載してもよい。更には、外面材８の表面部１０には任意の印刷や着色を施しても全く問題はない。
【００４３】
そして、前記した本発明の運搬用袋１は、ファスナー２０により開閉可能であり、また、その表面部に肩掛け用ベルト３０及び手持ち用ベルト３１を設けた態様を示したが、これには限定されず、収納物４０が収納ないし運搬可能であれば、その形態は任意のものであってよい。
【００４４】
【実施例】
以下、実施例を挙げて本発明を更に詳しく説明するが、本発明はかかる実施例に何ら制約されるものではない。
【００４５】
［実施例１］
運搬用袋の製造：
内面材及び外面材を下記の仕様の材料を用い、内面材のポリエチレン発泡シート層と外面材が向き合うようにして、また、常法の縫製条件を用いて厚さ約３．５ｍｍの積層体を形成した。そして、当該積層体を用いて、図２に示す形態の運搬用袋を製造した。なお、図２に示すように、運搬用袋の周縁部には樹脂ファスナーを取り付け、また、肩掛け用ベルト及び手持ち用ベルトも装着した。
【００４６】
（  内面材の仕様  ）
内面材として、市販されるＫＣ−１（小泉製麻（株）製、厚さ  約２．５ｍｍ）を用いた（下記１→４の順に積層されており、ポリエチレン発泡シートを、後記する外面材と向き合う層とした）。
１．ポリエチレンテレフタレート（ＰＥＴ）層（厚さ  １２μｍ）
２．アルミニウム層（アルミニウムフィルム）（厚さ  ７μｍ）
３．  高密度ポリエチレン（ＨＤＰＥ）クロスシート（厚さ  ０．２ｍｍ）
４．ポリエチレン発泡シート（厚さ  ２ｍｍ）
【００４７】
（  外面材の仕様  ）
ターポリンシート（ＰＥＴ繊維からなる織布を塩化ビニル樹脂でコーティングしたシート、厚さ  約０．３５ｍｍ）を使用した。
【００４８】
前記の実施例１で得られた本発明品の運搬用袋を用いて、重量約３０ｋｇの介護用ベッドについて、レンタル→引き取り→殺菌・消毒処理→保管→再度レンタルの流れを３０回繰り返して、引き取り毎にアルコールにて殺菌・消毒処理を施したが、当該使用において運搬用袋の破損等は見られず、また、衛生的にも全く問題は生じなかった。更には、当該運搬用袋の取り扱い性、運搬性も良好であった。
【００４９】
【発明の効果】
本発明の運搬用袋は、介護用ベッドや車椅子等の福祉用具をはじめとして、折りたたみ自転車、鍵盤楽器（キーボード）等の収納物を清潔かつ安全に運搬ないし保管できるとともに、取り扱い性、運搬性等もよく、耐汚染性、耐透湿性及び緩衝性にも優れるものである。更には優れた強度により、福祉用具のレンタルサービス等で長期ないし多回数の繰り返し使用にも耐えうる運搬用袋を提供することができる。
【図面の簡単な説明】
【図１】本発明の運搬用袋を構成する積層体の断面図である。
【図２】本発明の運搬用袋の一態様を示した図であって、当該運搬用袋の収納部を全部開いた状態を示す図である。
【図３】図２において、表面部側の状態を示す図である。
【図４】図２において、収納物を入れ、運搬用袋を半分に折り曲げた状態を示す図である。
【図５】図２に示す運搬用袋において、ファスナーを閉めて収納物を収納した状態を示す図である。
【図６】運搬用袋に収納物を入れ、人が当該運搬用袋を用いて運搬作業を行っている状態を示す概略図である。
【図７】図１において、外面材と内面材を略密着状態として積層した態様を表す断面図である。
【符号の説明】
１      運搬用袋
２      積層体
３      内面材
４      アルミニウム層
５      保護層（ＰＥＴ）
６      発泡シート層
７      介在層（クロスシート）
８      外面材
９      空隙部
１０      表面部
１１      収納部
２０      ファスナー
３０      肩掛け用ベルト
３１      手持ち用ベルト
４０      収納物（介護用ベッド）
５０      標識
【図１】
2004238073.tif 000003
【図２】
2004238073.tif 000004
【図３】
2004238073.tif 000005
【図４】
2004238073.tif 000006
【図５】
2004238073.tif 000007
【図６】
2004238073.tif 000008
【図７】
2004238073.tif 000009